(57)【要約】【課題】簡単に表示部の消費電力を削減すること。【解決手段】表示部１０と、外部から入力された画像信号により前記表示部に画像を表示する表示制御部１２と、交流電力を第１電圧の第１電力に変換し前記表示部に供給する第１電源部２０と、前記画像信号に基づき、前記第１電源部に供給される前記交流電力を遮断する遮断部２４と、前記交流電力を第２電圧の第２電力に変換し前記表示制御部および前記遮断部に供給する第２電源部２２と、複数のサーバ５２の一つを選択し、前記選択されたサーバが出力する画像信号を前記表示制御部に送信する選択部４０と、を具備し、前記複数のサーバの少なくとも一つが前記選択部に第３電力を供給し、前記第３電力が不安定となった場合、前記第２電源部は前記第２電力を前記選択部に供給する電子装置。【選択図】図８
2014225300.tif 000002
【特許請求の範囲】
【請求項１】
表示部と、
外部から入力された画像信号により前記表示部に画像を表示する表示制御部と、
交流電力を第１電圧の第１電力に変換し前記表示部に供給する第１電源部と、
前記画像信号に基づき、前記第１電源部に供給される前記交流電力を遮断する遮断部と、
前記交流電力を第２電圧の第２電力に変換し前記表示制御部および前記遮断部に供給する第２電源部と、
複数のサーバの一つを選択し、前記選択されたサーバが出力する画像信号を前記表示制御部に送信する選択部と、を具備し、
前記複数のサーバの少なくとも一つが前記選択部に第３電力を供給し、
前記第３電力が不安定となった場合、前記第２電源部は前記第２電力を前記選択部に供給することを特徴とする電子装置。
【請求項２】
前記選択部に供給される電力が前記第２電力から前記第３電力に切り換わった後、所定時間経過後に前記選択部に供給されている電力の状態を監視し、前記選択部に供給されている電力が不安定な場合、前記選択部に供給している電力を前記第３電力から前記第２電力に切り換える制御部を具備することを特徴とする請求項１記載の電子装置。
【請求項３】
複数のサーバの一つを選択し、選択されたサーバから受信した画像信号を表示装置に送信し、入力装置から受信した入力信号を前記選択されたサーバに送信する選択部と、
交流電力を変換電力に変換する電源部と、
前記複数のサーバの少なくとも一つから受信電力を受信する電力受信部と、
前記変換電力と前記受信電力とのいずれか一方を選択し、前記選択部に供給する制御部と、
を具備することを特徴とする電子装置。
【請求項４】
前記制御部は、前記受信電力を前記選択部に供給している場合に前記受信電力が不安定となった場合、前記変換電力を前記選択部に供給することを特徴とする請求項３記載の電子装置。
【請求項５】
前記制御部は、前記選択部に供給する電力を前記変換電力から前記受信電力に切り換えた後、所定時間経過後に前記選択部に供給されている電力の状態を監視し、前記選択部に供給されている電力が不安定な場合、前記選択部に供給している電力を前記受信電力から前記変換電力に切り換えることを特徴とする請求項３または４記載の電子装置。
【請求項６】
前記制御部は、前記選択部に供給されている電力の電圧が所定の範囲外の場合、前記選択部に供給している電力を前記受信電力から前記変換電力に切り換えることを特徴とする請求項５記載の電子装置。
【発明の詳細な説明】
【技術分野】
【０００１】
本発明は、電子装置に関し、特に、表示部の電源を遮断する電子装置に関する。
【背景技術】
【０００２】
例えば国際エネルギースター基準では、コンピュータや表示部が使用されない状態になってから所定時間経過後にスリープモードまたはオフモードに自動的に移行することが規定されている（例えば特許文献１）。
【先行技術文献】
【特許文献】
【０００３】
【特許文献１】特開２００１−２２２３４６号公報
【発明の概要】
【発明が解決しようとする課題】
【０００４】
しかしながら、スリープモードやオフモードへの移行のため複雑な処理を行う。本電子装置は、簡単に消費電力を削減することを目的とする。
【課題を解決するための手段】
【０００５】
本発明は、表示部と、外部から入力された画像信号により前記表示部に画像を表示する表示制御部と、交流電力を第１電圧の第１電力に変換し前記表示部に供給する第１電源部と、前記画像信号に基づき、前記第１電源部に供給される前記交流電力を遮断する遮断部と、前記交流電力を第２電圧の第２電力に変換し前記表示制御部および前記遮断部に供給する第２電源部と、を具備することを特徴とする電子装置である。本発明によれば、簡単に表示部の消費電力を削減することができる。
【０００６】
上記構成において、前記表示制御部が前記画像信号を受信できない場合、前記遮断部は前記交流電力を遮断する構成とすることができる。
【０００７】
上記構成において、前記画像信号によらず前記第２電源部に交流電力が供給される構成とすることができる。
【０００８】
上記構成において、前記遮断部は、リレー回路とリレー回路制御部を含み、前記リレー回路制御部が、前記リレー回路にセット信号を送信すると、前記リレー回路は、前記交流電力を前記第１電源部に供給する状態を保持し、前記リレー回路制御部が、前記リレー回路にリセット信号を送信すると、前記リレー回路は、前記第１電源部に供給される前記交流電力を遮断する状態を保持する構成とすることができる。
【０００９】
上記構成において、前記リレー回路制御部は、前記第１電源部の出力を監視し、前記リレー回路に前記セット信号を送信したにもかかわらず前記第１電源部から前記第１電力が出力されなくなった場合、前記リレー回路にセット信号を送信し、前記リレー回路に前記リセット信号を送信したにもかかわらず前記第１電源部から前記第１電力が出力された場合、前記リレー回路にリセット信号を送信する構成とすることができる。
【００１０】
上記構成において、前記リレー回路制御部は、前記リレー回路に前記セット信号を送信する場合、定期または不定期に前記セット信号を送信し、前記リレー回路に前記リセット信号を送信する場合、定期または不定期に前記リセット信号を送信する構成とすることができる。
【００１１】
上記構成において、複数のサーバの一つを選択し、前記選択されたサーバが出力する画像信号を前記表示制御部に送信する選択部を具備し、前記複数のサーバの少なくとも一つが前記選択部に第３電力を供給し、前記第３電力が不安定となった場合、前記第２電源部は前記第２電力を前記選択部に供給する構成とすることができる。
【００１２】
上記構成において、前記選択部に供給される電力が前記第２電力から前記第３電力に切り換わった後、所定時間経過後に前記選択部に供給されている電力の状態を監視し、前記選択部に供給されている電力が不安定な場合、前記選択部に供給している電力を前記第３電力から前記第２電力に切り換える制御部を具備する構成とすることができる。
【００１３】
本発明は、複数のサーバの一つを選択し、選択されたサーバから受信した画像信号を表示装置に送信し、入力装置から受信した入力信号を前記選択されたサーバに送信する選択部と、交流電力を変換電力に変換する電源部と、前記複数のサーバの少なくとも一つから受信電力を受信する電力受信部と、前記変換電力と前記受信電力とのいずれか一方を選択し、前記選択部に供給する制御部と、を具備することを特徴とする電子装置である。本発明によれば、電子装置の電力を削減することができる。
【００１４】
上記構成において、前記制御部は、前記受信電力を前記選択部に供給している場合に前記受信電力が不安定となった場合、前記変換電力を前記選択部に供給する構成とすることができる。
【００１５】
上記構成において、前記制御部は、前記選択部に供給する電力を前記変換電力から前記受信電力に切り換えた後、所定時間経過後に前記選択部に供給されている電力の状態を監視し、前記選択部に供給されている電力が不安定な場合、前記選択部に供給している電力を前記受信電力から前記変換電力に切り換える構成とすることができる。
【００１６】
上記構成において、前記制御部は、前記選択部に供給されている電力の電圧が所定の範囲外の場合、前記選択部に供給している電力を前記受信電力から前記変換電力に切り換える構成とすることができる。
【００１７】
上記構成において、複数のサーバの一つを選択し、前記選択されたサーバが出力する画像信号を前記表示制御部に送信する選択部を具備し、前記第１電源部が前記選択部に前記第１電力を供給し、前記第２電源部は前記選択部に電力を供給しない構成とすることができる。
【００１８】
上記構成において、前記第１電力を、第４電圧の第４電力に変換し、前記選択部に前記第４電力を供給する電力変換部を具備する構成とすることができる。
【００１９】
上記構成において、前記電力変換部は絶縁型ＤＣ−ＤＣコンバータである構成とすることができる。
【００２０】
上記構成において、前記遮断部はフォトカップラを介し前記第１電力を監視する構成とすることができる。
【００２１】
上記構成において、前記電子装置はドロワ型電子装置である構成とすることができる。
【発明の効果】
【００２２】
本電子装置によれば、簡単に消費電力を削減することができる。
【図面の簡単な説明】
【００２３】
【図１】図１は、実施例１に係る電子装置のブロック図である。
【図２】図２は、表示制御部の処理を示すフローチャートである。
【図３】図３（ａ）および図３（ｂ）は、各信号のタイミングチャートである。
【図４】図４は、リレー回路制御部の処理を示すフローチャートである。
【図５】図５（ａ）は、リレー回路制御部の処理を示すフローチャート、図５（ｂ）は各信号のタイミングチャートである。
【図６】図６（ａ）は、リレー回路制御部の処理を示すフローチャート、図６（ｂ）は各信号のタイミングチャートである。
【図７】図７（ａ）および図７（ｂ）は、各信号のタイミングチャートである。
【図８】図８は、実施例２に係る電子装置のブロック図である。
【図９】図９は、リレー回路制御部の処理を示すフローチャートである。
【図１０】図１０は、実施例３に係る電子装置のブロック図である。
【図１１】図１１は、実施例３に係る電子装置における選択部への電力供給の系統例を示すブロック図である。
【図１２】図１２は、制御部の別の制御を示すフローチャートである。
【図１３】図１３（ａ）および図１３（ｂ）は、選択部電源電圧とスイッチの動作を示すタイミングチャートである。
【図１４】図１４は、実施例４に係る電子装置のブロック図である。
【図１５】図１５は、リレー回路制御部の処理を示すフローチャートである。
【図１６】図１６（ａ）および図１６（ｂ）は、実施例１から実施例４の外観の例を示す図（その１）である。
【図１７】図１７（ａ）から図１７（ｃ）は、実施例１から実施例４の外観の例を示す図（その２）である。
【発明を実施するための形態】
【００２４】
以下、図面を参照し、実施例について説明する。
【実施例１】
【００２５】
実施例１は、国際エネルギースター規格に適合したドロワの例である。図１は、実施例１に係る電子装置のブロック図である。電子装置１００は、本体部９０および電源部９２を備えている。本体部９０は、表示部１０、表示制御部１２、キーボード１６、マウス１８およびＫＭ制御部１４を備えている。表示制御部１２は、表示部１０を制御する。例えば、サーバ５０等の外部からの画像信号Ｖに基づき表示部１０に表示する画像を制御する。また、画像信号Ｖを一定時間受信できない場合、ＯＮ／ＯＦＦ信号をＯＦＦにする。ＫＭ制御部１４は、キーボード１６およびマウス１８からの信号をキーボード信号Ｋおよびマウス信号Ｍとしてサーバ５０に出力する。電子装置１００は、例えばドロワであり、ラック中に収納されている。ドロワを引き出すことにより、表示部１０、キーボード１６およびマウス１８を用い、電子装置１００に接続されたサーバ５０を操作することができる。表示部１０は例えば液晶表示部である。マウス１８は、他のポインティングデバイスでもよい。例えばタッチパネルでもよい。
【００２６】
電源部９２は、第１電源部２０、第２電源部２２および遮断部２８を備えている。第１電源部２０は、交流電源部３０から供給される交流電力ＡＣを第１電圧の第１電力ＤＣ１（例えば直流）に変換し、表示部１０に供給する。第１電圧は例えば１２Ｖである。表示部１０においては、第１電力ＤＣ１が直流の場合、第１電力ＤＣ１がインバータにより交流に変換される。変換された交流電力は、バックライトの蛍光管に供給される。例えば、バックライトがＬＥＤ（Light Emitting Device）の場合、直流の第１電力ＤＣ１をバックライトに供給してもよい。第２電源部２２は交流電源部３０から供給される交流電力ＡＣを第２電圧の第２電力ＤＣ２（例えば直流）に変換し遮断部２８に供給する。遮断部２８は、リレー回路２４とリレー回路制御部２６を備えている。遮断部２８は、表示制御部１２からのＯＮ／ＯＦＦ信号に基づき、第１電源部２０に供給される交流電力を遮断する。第２電源部２２は、第２電力ＤＣ２を、リレー回路制御部２６に供給する。リレー回路制御部２６は、第２電力ＤＣ２を表示制御部１２とリレー回路２４とに供給する。リレー回路制御部２６は、第２電力ＤＣ２をＫＭ制御部１４に供給してもよい。また、第２電源部２２は、リレー回路制御部２６を介さず、第２電力ＤＣ２を表示制御部１２に供給してもよい。リレー回路制御部２６は、ＯＮ／ＯＦＦ信号に基づき、リレー回路２４にセット信号ＳＥＴおよびリセット信号ＲＥＳＥＴを出力する。なお、ＯＮ／ＯＦＦ信号は、リレー回路２４の制御以外にも、画像信号Ｖの有無を表示する表示灯のオン／オフに用いてもよい。
【００２７】
図２は、表示制御部の処理を示すフローチャートである。表示制御部１２は、サーバ５０からの画像信号Ｖが一定期間以上受信されているか判断する（ステップＳ１０）。Ｙｅｓの場合、表示制御部１２は、ＯＮ／ＯＦＦ信号をＯＮとする（ステップＳ１２）。例えば、本体部９０の電源スイッチが投入されている場合、表示制御部１２は、ＯＮ／ＯＦＦ信号をＯＮとする。Ｎｏの場合、表示制御部１２は、ＯＮ／ＯＦＦ信号をＯＦＦとする（ステップＳ１４）。例えば、本体部９０の電源スイッチが押下され、電子装置１００が、電源オフモード、待機モードまたはスリープモードの場合、表示制御部１２は、ＯＮ／ＯＦＦ信号をＯＦＦとする。
【００２８】
次に、リレー回路制御部２６の処理を説明する。リレー回路２４は、例えばラッチ回路である。リレー回路制御部２６が、リレー回路２４にセット信号ＳＥＴを送信すると、リレー回路２４は、交流電力ＡＣを第１電源部２０に供給する状態を保持する。リレー回路制御部２６が、リレー回路２４にリセット信号ＲＥＳＥＴを送信すると、リレー回路２４は、第１電源部２０に供給される交流電力ＡＣを遮断する状態を保持する。
【００２９】
図３（ａ）および図３（ｂ）は、各信号のタイミングチャートである。図３（ａ）は、電源が投入された際の交流電力ＡＣ、セット信号ＳＥＴ、リセット信号ＲＥＳＥＴ、第１電力ＤＣ１のタイミングチャートである。図３（ａ）を参照し、交流電力ＡＣはオフされており、セット信号ＳＥＴおよびリセット信号ＲＥＳＥＴはオフである。第１電力ＤＣ１は０Ｖである。交流電力ＡＣが投入されると、第２電源部２２が第２電力ＤＣ２をリレー回路制御部２６に供給する。交流電力ＡＣが投入されたから期間ＲＳＴ後、リレー回路制御部２６はリセット信号ＲＥＳＥＴをリレー回路２４に送信する（例えば、リセット信号をハイとする）。リセット信号ＲＥＳＥＴは期間Ｔ３（例えば２０ｍ秒）の間ハイとなる。これにより、リレー回路２４は、第１電源部２０に供給される交流電力ＡＣを遮断する。よって、第１電力ＤＣ１は表示部１０に供給されない。
【００３０】
図３（ｂ）は、リレー回路制御部２６の基本動作におけるＯＮ／ＯＦＦ信号、セット信号ＳＥＴ、リセット信号ＲＥＳＥＴ、第１電力ＤＣ１のタイミングチャートである。図４は、リレー回路制御部２６の処理を示すフローチャートである。図４を参照し、リレー回路制御部２６は、ＯＮ／ＯＦＦ信号を受信する（ステップＳ２０）。リレー回路制御部２６は、ＯＮ／ＯＦＦ信号が一定期間以上ＯＮか判断する（ステップＳ２２）。Ｙｅｓの場合、リレー回路制御部２６は、セット信号ＳＥＴをリレー回路２４に送信する（ステップＳ２４）。その後終了し、ステップＳ２０に戻る。ステップＳ２２においてＮｏの場合、リレー回路制御部２６は、ＯＮ／ＯＦＦ信号が一定期間以上ＯＦＦか判断する（ステップＳ２６）。Ｙｅｓの場合、リレー回路制御部２６は、リセット信号ＲＥＳＥＴをリレー回路２４に送信する（ステップＳ２８）。その後終了し、ステップＳ２０に戻る。ステップＳ２６においてＮｏの場合、終了しステップＳ２０に戻る。
【００３１】
図３（ｂ）を参照に、ＯＮ／ＯＦＦ信号がオンになって期間Ｔ１（例えば１００ｍ秒）経過すると、リレー回路制御部２６は、セット信号ＳＥＴを送信する（例えば、セット信号を期間Ｔ３の間ハイとする）。これにより、表示部１０に第１電力ＤＣ１が供給される。ＯＮ／ＯＦＦ信号がオフになって期間Ｔ１（例えば１００ｍ秒）経過すると、リレー回路制御部２６は、リセット信号ＲＥＳＥＴを送信する（例えば、リセット信号を期間Ｔ３の間ハイとする）。これにより、表示部１０には第１電力ＤＣ１が供給されない。ＯＮ／ＯＦＦ信号がオンになって期間Ｔ１経過する前にＯＮ／ＯＦＦ信号がオフになった場合、リレー回路制御部２６は、セット信号ＳＥＴを送信しない。ＯＮ／ＯＦＦ信号がオフになって期間Ｔ１経過する前にＯＮ／ＯＦＦ信号がオンになった場合、リレー回路制御部２６は、リセット信号ＲＥＳＥＴを送信しない。これにより、ノイズ等でＯＮ／ＯＦＦ信号が一瞬オンまたはオフになった場合の誤動作を抑制できる。
【００３２】
リレー回路２４は振動等で誤動作する場合がある。そこで、リレー回路２４が誤動作した場合の処理について説明する。図５（ａ）は、リレー回路制御部の処理を示すフローチャート、図５（ｂ）は各信号のタイミングチャートである。図５（ａ）のように、リレー回路制御部２６は、セット信号ＳＥＴをリレー回路２４に送信する（ステップＳ４０）。リレー回路制御部２６は、第１電源部２０の出力電圧をチェックする（ステップＳ４２）。リレー回路制御部２６は、第１電源部２０の第１電力ＤＣ１が正常か判断する（ステップＳ４４）。例えば、第１電源部２０の第１電力ＤＣ１が一定時間以上低下していれば正常でないと判断する。ステップＳ４４においてＮｏの場合、リレー回路制御部２６は、リレー回路２４にセット信号ＳＥＴを送信する（ステップＳ４６）。その後終了しステップＳ４２に戻る。ステップＳ４４においてＹｅｓの場合、終了しステップＳ４２に戻る。
【００３３】
図５（ｂ）は、チェック信号ＣＨＥＣＫ、ＯＮ／ＯＦＦ信号、セット信号ＳＥＴ、リセット信号ＲＥＳＥＴ、第１電力ＤＣ１のタイミングチャートである。図５（ｂ）のように、ＯＮ／ＯＦＦ信号がオンし期間Ｔ１後にセット信号ＳＥＴが一定期間ハイとなる。第１電源部２０は表示部１０に第１電力ＤＣ１を供給する。何らかの原因（例えば振動等）により、第１電力ＤＣ１が低下すると、チェック信号ＣＨＥＣＫがロー（例えば第１電力ＤＣ１の電圧が低下したことを示す）となる。一定期間Ｔ２（例えば２０ｍ秒）後、セット信号ＳＥＴが一定期間ハイとなる。これにより、リレー回路２４は交流電力ＡＣを第１電源部２０に接続する。第１電源部２０は、第１電力ＤＣ１を表示部１０に供給する。
【００３４】
図６（ａ）は、リレー回路制御部の処理を示すフローチャート、図６（ｂ）は各信号のタイミングチャートである。図６（ａ）のように、リレー回路制御部２６は、リセット信号ＲＥＳＥＴをリレー回路２４に送信する（ステップＳ５０）。リレー回路制御部２６は、第１電源部２０の出力電力をチェックする（ステップＳ５２）。リレー回路制御部２６は、第１電源部２０の第１電力ＤＣ１が正常か判断する（ステップＳ５４）。例えば、第１電源部２０が一定時間以上電力を供給していれば正常でないと判断する。ステップＳ５４においてＮｏの場合、リレー回路制御部２６は、リレー回路２４にリセット信号ＲＥＳＥＴを送信する（ステップＳ５６）。その後終了しステップＳ５２に戻る。ステップＳ５４においてＹｅｓの場合、終了しステップＳ５２に戻る。
【００３５】
図６（ｂ）は、チェック信号ＣＨＥＣＫ、ＯＮ／ＯＦＦ信号、セット信号ＳＥＴ、リセット信号ＲＥＳＥＴ、第１電力ＤＣ１のタイミングチャートである。図６（ｂ）のように、ＯＮ／ＯＦＦ信号がオフし期間Ｔ１後にリセット信号ＲＥＳＥＴが一定期間ハイとなる。第１電源部２０は表示部１０に第１電力ＤＣ１を供給しない。何らかの原因（例えば振動等）により、第１電力ＤＣ１が供給されると、チェック信号ＣＨＥＣＫがハイ（第１電力ＤＣ１が供給されていることを示す）となる。一定期間Ｔ２（例えば２０ｍ秒）後、リセット信号ＲＥＳＥＴが一定期間ハイとなる。これにより、リレー回路２４は交流電力ＡＣの第１電源部２０への供給を遮断する。
【００３６】
以上のように、リレー回路制御部２６は、第１電源部２０の出力を監視し、リレー回路２４にセット信号ＳＥＴを送信したにもかかわらず第１電源部２０から第１電力ＤＣ１が出力されなくなった場合、リレー回路２４にセット信号ＳＥＴを送信する。また、リレー回路２４にリセット信号ＲＥＳＥＴを送信したにもかかわらず第１電源部２０から第１電力ＤＣ１が出力された場合、リレー回路２４にリセット信号ＲＥＳＥＴを送信する。これにより、リレー回路２４が誤動作した場合であっても、リレー回路２４を正常動作に復帰させることができる。
【００３７】
次に、リレー回路２４の誤動作に対応した別の例を説明する。図７（ａ）および図７（ｂ）は、各信号のタイミングチャートである。図７（ａ）のように、ＯＮ／ＯＦＦ信号がオンになる。リレー回路制御部２６はリレー回路２４にセット信号ＳＥＴを一定間隔Ｔｓｅｔで送信する。図７（ｂ）のように、ＯＮ／ＯＦＦ信号がオフになる。リレー回路制御部２６はリレー回路２４にリセット信号ＲＥＳＥＴを一定間隔Ｔｒｅｓｅｔで送信する。例えば、間隔Ｔｓｅｔが１０秒、間隔Ｔｒｅｓｅｔが３０分とすることができる。また、例えば、間隔Ｔｓｅｔが３秒、間隔Ｔｒｅｓｅｔが１分とすることができる。さらに、例えば、間隔Ｔｓｅｔが５秒、間隔Ｔｒｅｓｅｔが１分で５回繰り返し、その後は間隔Ｔｒｅｓｅｔを１時間とすることができる。このように、間隔ＴｓｅｔおよびＴｒｅｓｅｔは任意に変更することができる。表示部１０を使用する観点からは、間隔Ｔｓｅｔは間隔ｒｅｓｅｔより短いことが好ましい。
【００３８】
以上のように、リレー回路制御部２６は、リレー回路２４にセット信号ＳＥＴを送信する場合、定期または不定期にセット信号ＳＥＴを送信することができる。また、リレー回路２４にリセット信号ＲＥＳＥＴを送信する場合、定期または不定期にリセット信号ＲＥＳＥＴを送信することができる。これにより、リレー回路２４の誤動作により、使用環境が悪化することを抑制できる。
【００３９】
実施例１によれば、交流電力ＡＣを第１電圧の第１電力ＤＣ１に変換し表示部１０に供給する第１電源部２０と、交流電力を第２電圧の第２電力ＤＣ２に変換し表示制御部１２および遮断部２８に供給する第２電源部２２と、が設けられている。遮断部２８、は画像の状態に基づき、第１電源部２０に供給される交流電力ＡＣを遮断する。これにより、簡単に、表示部１０の消費電力を削減できる。さらに、電圧を変換する第１電源部２０に供給される交流電力ＡＣを遮断することにより、消費電力をより削減することができる。表示部１０の消費電力は、電子装置１００のその他の構成の消費電力より大きい。また、表示部１０に供給される第２電力ＤＣ２電圧は第１電力ＤＣ１の電圧より高い。よって、第１電源部２０に供給される交流電力ＡＣを遮断することにより表示部１０の消費電力を削減することは、電子装置１００の消費電力削減に有効である。
【００４０】
また、表示制御部１２が表示部１０に表示する画像の画像信号を受信できない場合、遮断部２８は第１電源部２０に供給する交流電力ＡＣを遮断する。これにより、画像信号Ｖがない場合、表示部１０に供給される第１電力ＤＣ１を遮断することができる。
【実施例２】
【００４１】
実施例２は、電子装置がＫＶＭスイッチを含む例である。図８は、実施例２に係る電子装置のブロック図である。図８のように、実施例２に係る電子装置は、本体部９０、電源部９２に加えＫＶＭスイッチ４０を備えている。ＫＶＭスイッチ４０は、選択部４２、スイッチ４４およびリレー回路制御部２６を備えている。リレー回路制御部２６は電源部９２とＫＶＭスイッチ４０とに共用されている。選択部４２には、複数のサーバ５０が接続されている。サーバ５０には交流電源部５２から交流電力が供給されている。選択部４２は、複数のサーバ５０の一つを選択し、選択されたサーバ５０が出力する画像信号Ｖを表示制御部１２に送信する。例えば、選択部４２は、サーバ５０が出力した画像信号Ｖと同じ信号を表示制御部１２に出力する。また、ＫＭ制御部１４から受信した入力信号Ｋ、Ｍ（例えばキーボード信号およびマウス信号）を選択されたサーバ５０に送信する。例えば、選択部４２は、ＫＭ制御部１４が出力した入力信号と同じ信号をサーバ５０に出力する。
【００４２】
さらに、サーバ５０は交流電力ＡＣの電圧を変換し第３電力ＤＣ３（例えば直流電力）をＫＶＭスイッチ４０に供給する。例えば、第３電力ＤＣ３（例えば５Ｖ）を選択部４２に供給する。これにより、電子装置１０２の消費電力を削減することができる。リレー回路制御部２６は、サーバ５０から供給される第３電力ＤＣ３をチェック信号ＣＨＥＣＫ２を用い監視する。サーバ５０から供給される第３電力ＤＣ３が不安定な場合、リレー回路制御部２６は、スイッチ４４をオンし、第２電源部２２から第２電力ＤＣ２を選択部４２に供給する。その他の構成は実施例１と同様であり説明を省略する。
【００４３】
図９は、リレー回路制御部の処理を示すフローチャートである。図９のように、リレー回路制御部２６は、サーバ５０から供給される第３電力ＤＣ３を監視する（ステップＳ６０）。リレー回路制御部２６は、第３電力ＤＣ３が不安定か判断する（ステップＳ６２）。例えば、電力の電圧が規格値から外れた場合、リレー回路制御部２６は、第３電力ＤＣ３が不安定化したと判断する。ステップＳ６２においてＹｅｓの場合、リレー回路制御部２６は、スイッチ４４をオンする（ステップＳ６４）。ステップＳ６２においてＮｏの場合、リレー回路制御部２６は、スイッチ４４をオフする（ステップＳ６６）。
【００４４】
実施例２のように、電子装置１０２は、ＫＶＭスイッチ４０を含むことができる。さらに、ＫＶＭスイッチ４０に接続される複数のサーバ５０の少なくとも一つが選択部４２に第３電力ＤＣ３を供給する。サーバ５０から供給される第３電力ＤＣ３が不安定となった場合、第２電源部２２は、選択部４２に第２電力ＤＣ２を供給する。これにより、サーバ５０から供給される電力が不安定となってもＫＶＭスイッチ４０を動作させることができる。
【００４５】
実施例１および実施例２のように、電子装置の表示部１０に画像を表示させる画像信号を外部から受信する場合、例えば、サーバが外部にある場合、電子装置１００では、表示部１０の消費電力削減が難しい。そこで、画像信号の状態（例えば有無）により、表示部１０に供給される電力を遮断する。これにより、簡単に、電子装置の消費電力を削減でき、例えば国際エネルギースター規格に準拠した電子装置を提供することができる。
【実施例３】
【００４６】
図１０は、実施例３に係る電子装置のブロック図である。図１０のように、電子装置１０４は、本体部９０、ＫＶＭスイッチ４０および電源部９２を備えている。電子装置１０４は、例えばドロワであり、ラック中に収納されている。ドロワを引き出すことにより、表示装置１１、入力装置１７を用い、電子装置１０４に接続されたサーバ５０を操作することができる。本体部９０は、表示装置１１、表示制御部１２、入力装置１７および入力装置制御部１５を備えている。表示制御部１２は、表示装置１１を制御する。例えば、サーバ５０等の外部からの画像信号Ｖに基づき表示装置１１に表示する画像を制御する。入力装置制御部１５は、入力装置１７からの信号を入力信号ＫおよびＭとしてサーバ５０に出力する。また、サーバ５０からのコマンドを入力装置１７に出力する。入力装置１７は例えばキーボードおよびマウスである。マウスはタッチパネル等のポインティングデバイスでもよい。
【００４７】
ＫＶＭスイッチ４０は、選択部４２、スイッチ４４、電力受信部４５、電力監視部４６、ＤＣ／ＤＣコンバータ４８および制御部４９を備えている。選択部４２には、複数のサーバ５０が接続されている。選択部４２は、複数のサーバ５０の一つを選択し、選択されたサーバ５０から受信した画像信号Ｖを表示制御部１２に送信する。例えば、選択部４２は、サーバ５０から受信した画像信号Ｖと同じ信号を表示制御部１２に送信する。また、入力装置制御部１５から受信した入力信号Ｋ、Ｍ（例えばキーボード信号およびマウス信号）を選択されたサーバ５０に送信する。例えば、選択部４２は、入力装置制御部１５から受信した入力信号と同じ信号を選択されたサーバ５０に送信する。さらに、選択部４２は、選択されたサーバ５０から受信した入力装置のコマンドを入力装置制御部１５に送信する。
【００４８】
サーバ５０は交流電源部５２から供給される交流電力ＡＣの電圧を第３電力ＤＣ３（例えば直流電力）に変換し、第３電力ＤＣ３をＫＶＭスイッチ４０に供給する。電力受信部４５は、複数のサーバ５０の少なくとも一つから第３電力ＤＣ３（例えば５Ｖ）を受信する。電力受信部４５は第３電力を受信電力として選択部４２に供給する。電源部９２は、交流電源部３０の交流電力の電圧を第２電力ＤＣ２（例えば直流電力、１２Ｖ）に変換する。スイッチ４４は、第２電力（変換電力）を選択部４２に接続または遮断する。ＤＣ／ＤＣコンバータ４８は、第２電力ＤＣ２を所望の電圧に変換する。例えば、１２Ｖを５Ｖに変換する。なお、ＤＣ／ＤＣコンバータ４８は設けられておらず、電源部９２が供給する電圧を変換せず選択部４２に供給してもよい。例えば電源部９２が供給する電圧は５Ｖでもよい。
【００４９】
電力監視部４６は、選択部４２に供給される電力の状態を監視する。例えば、選択部４２に供給される電力の電圧を監視する。電力監視部４６は、監視結果をＣＨＥＣＫ３信号として制御部４９に送信する。制御部４９は、電力受信部４５から第３電力ＤＣ３の状態を受信する。また、電力監視部４６からＣＨＥＣＫ３信号を受信する。制御部４９は、第３電力ＤＣ３の状態またはＣＨＥＣＫ３信号に基づき、スイッチ４４をオンまたはオフさせる。すなわち、制御部４９は、第２電力（変換電力）と第３電力（受信電力）とのいずれか一方を選択し、選択部４２に供給する。
【００５０】
図１１は、実施例３に係る電子装置における選択部への電力供給の系統例を示すブロック図である。サーバ５０からラインＬに第３電力ＤＣ３が供給される。ラインＬとサーバ５０との間には逆流防止のダイオードＤ１が接続されている。第３電力ＤＣ３はラインＬを介し選択部４２に供給される。ラインＬと選択部４２の間のノードには、ＤＣ／ＤＣコンバータ４８により電圧が変換（例えば１２Ｖから５Ｖ）された第２電力ＤＣ２が供給される。ラインＬはマイコン８０のアナログポートに接続されている。これにより、マイコン８０はラインＬの電圧を監視することができる。マイコン８０の汎用ポートからスイッチ制御信号ＳＷがスイッチ４４に供給される。マイコン８０は、ラインＬの電圧に基づき、スイッチ４４にスイッチ制御信号ＳＷを出力する。例えば、ラインＬの電圧が所定電圧より低くなった場合、マイコン８０は、スイッチ４４をオンするようなスイッチ制御信号ＳＷをスイッチ４４に供給する。その他の構成は図１０と同じであり、同じ構成には同じ符号を付し説明を省略する。図１１におけるラインＬが図１０における電力受信部４５に対応する。また、マイコン８０が図１０における電力監視部４６および制御部４９に対応する。
【００５１】
このように、電子装置１０４独自の電源である第２電力ＤＣ２に加え、サーバ５０の電源から第３電力ＤＣ３を選択部４２に供給する。これにより、電子装置１０４の消費電力を削減することができる。
【００５２】
制御部４９は、実施例２の図９と同様に、受信電力を選択部４２に供給している場合に受信電力が不安定となった場合、変換電力を選択部４２に供給する。これにより、サーバ５０からの第３電力ＤＣ３が不安定となった場合、選択部４２に供給する電力を第２電力に切り換えることができる。よって、選択部４２に安定に電力を供給することができる。
【００５３】
図１２は、制御部４９の別の制御を示すフローチャートである。制御部４９は、スイッチ４４をオンし、第２電力ＤＣ２（変換電力）を選択部４２に供給している（ステップＳ７０）。制御部４９は、選択部４２に供給する電力を第３電力ＤＣ３（受信電力）に切り換える。すなわち、スイッチ４４をオフする（ステップＳ７２）。制御部４９は、所定時間経過後４５、電力監視部４６からのＣＨＥＣＫ３信号を受信する（ステップＳ７４）。制御部４９は、選択部４２に供給されている電力が不安定か判断する（ステップＳ７６）。Ｎｏの場合、終了する。すなわち、第３電力ＤＣ３を選択部４２に供給し続ける。Ｙｅｓの場合、スイッチ４４をオンする（ステップＳ７８）。すなわち、選択部４２に供給する電力を第３電力ＤＣ３から第２電力ＤＣ２に切り換える。
【００５４】
図１３（ａ）および図１３（ｂ）は、選択部の電源電圧とスイッチの動作を示すタイミングチャートである。図１３（ａ）のように、スイッチ４４がオン状態で選択部４２には第２電力ＤＣ２が供給されている。図１２のステップＳ７２において、スイッチ４４がオフする。図１２のステップＳ７４のように、制御部４９は期間Ｔ４経過後に選択部４２の電源をチェックする。選択部４２に供給されている電力が不安定な場合、例えば、選択部４２に供給されている電力が所定範囲外となった場合、制御部４９は、図１２のステップＳ７８のように、スイッチ４４をオンする。これにより、選択部に第２電力ＤＣ２が供給される。
【００５５】
図１３（ｂ）のように、制御部４９はスイッチ４４をオフしてから期間Ｔ４経過後に選択部４２の電源をチェックする。選択部４２に供給されている電力が不安定でない場合、制御部４９は、スイッチ４４のオンを保持する。これにより、選択部に第３電力ＤＣ３が供給された状態が保持される。
【００５６】
実施例３によれば、制御部４９は、図１２のステップＳ７２のように、選択部４２に供給する電力を第２電力から第３電力に切り換えた後、ステップＳ７４のように、所定時間経過後に選択部４２に供給されている電力の状態を監視する。選択部４２に供給されている電力が不安定な場合、ステップＳ７８のように、制御部４９は、選択部４２に供給している電力を第３電力から第２電力に切り換える。
【００５７】
図１３（ａ）の点線のように、選択部４２に供給する電力を第２電力ＤＣ２から第３電力ＤＣ３に切り換えた後、第３電力ＤＣ３を選択部４２に供給し続けると、選択部電源電圧は低下していた。実施例３のように、スイッチ４４をオフしてから期間Ｔ４後に選択部電源を監視することにより、実線のように、選択部電源電圧を低下させることなく、選択部４２を安定に動作させることができる。
【００５８】
図１２のステップＳ７６において、制御部４９は、選択部４２に供給されている電力の電圧が所定の範囲外の場合、選択部４２に供給している電力を第３電力から第２電力に切り換えることができる。例えば、選択部に供給されている電力の電圧が所定値以下となった場合、選択部４２に供給している電力を第３電力から第２電力に切り換えることができる。
【００５９】
実施例３において、制御部４９は、スイッチ４４をオフしてから期間Ｔ４後に選択部に供給される電力を監視している。期間Ｔ４は、一定の期間でもよいし、状況に応じ異なる期間を用いてもよい。また、実施例３の処理は、実施例２に適用することもできる。
【実施例４】
【００６０】
実施例４は、ＫＶＭスイッチへの電力供給を第１電源部から行なう例である。図１４は、実施例４に係る電子装置のブロック図である。電子装置１０６は、本体部９０、電源部９２およびＫＶＭスイッチ４０を備えている。本体部９０は、表示部１０、表示制御部１２、キーボード１６、マウス１８およびＫＭ制御部１４を備えている。各部材の機能は、実施例１および実施例２と同じであり、説明を省略する。
【００６１】
ＫＶＭスイッチ４０は、選択部４２を備えている。電源部９２は、第１電源部２０、第２電源部２２および遮断部２８を備えている。ＫＶＭスイッチ４０は、選択部４２、ＤＣ／ＤＣコンバータ６０を備えている。ＫＶＭスイッチ４０には複数のサーバ５０が接続されている。リレー回路制御部２６は遮断部２８とＫＶＭスイッチ４０とで共用されている。リレー回路制御部２６は、第１電源部２０が出力する第１電力ＤＣ１をチェック信号ＣＨＥＣＫ１を用い監視する。また、リレー回路制御部２６は、第２電源部２２が出力する第２電力ＤＣ２をチェック信号ＣＨＥＣＫを用い監視する。リレー回路制御部２６は、サーバ５０から供給される第３電力ＤＣ３をチェック信号ＣＨＥＣＫ２を用い監視する。リレー回路制御部２６は、第１電力ＤＣ１、第２電力ＤＣ２および第３電力の監視した結果（例えば電圧）に基づきリレー回路２４を制御する。さらに、リレー回路制御部２６は、表示制御部１２が出力したＯＮ／ＯＦＦ信号に基づきリレー回路２４を制御する。選択部４２の機能は実施例２と同じであり説明を省略する。
【００６２】
第１電源部２０から出力された第１電力ＤＣ１の一部は、ＤＣ／ＤＣコンバータ６０により第４電圧の第４電力ＤＣ４に変換される。第４電圧は、例えば直流５Ｖであり、例えば第２電力ＤＣ２の電圧と同じである。また、サーバ５０から供給される第３電力ＤＣ３と同じ電圧である。ＤＣ／ＤＣコンバータ６０から供給された第４電力ＤＣ４は、順方向ダイオードＤ４を介し選択部４２に供給される。サーバ５０から供給される第３電力ＤＣ３の一部は順方向ダイオードＤ５を介し選択部４２に供給される。ダイオードＤ４およびＤ５は、逆流防止用ダイオードである。
【００６３】
第２電源部２２から出力された第２電力ＤＣ２の一部は順方向ダイオードＤ６を介しリレー回路制御部２６に供給される。サーバ５０から供給される第３電力ＤＣ３の一部は順方向ダイオードＤ７を介しリレー回路制御部２６に供給される。ダイオードＤ６およびＤ７は、逆流防止用ダイオードである。なお、第２電力ＤＣ２および第３電力ＤＣ３は、リレー回路２４に供給されてもよい。第１電力ＤＣ１はフォトカップラによりリレー回路制御部２６に監視される。
【００６４】
このように、実施例４においては、第１電力ＤＣ１は、表示部１０とともに選択部４２に供給される、第２電力ＤＣ２は、表示制御部１２とともにリレー回路制御部２６に供給される。サーバ５０からの第３電力ＤＣ３は選択部４２とリレー回路制御部２６に供給される。
【００６５】
図１５は、リレー回路制御部２６の処理を示すフローチャートである。図１５のように、リレー回路制御部２６は、表示制御部１２からのＯＮ／ＯＦＦ信号がＯＮまたはＯＦＦかを判断する（ステップＳ８０）。ＯＮ／ＯＦＦ信号がＯＮの場合、表示制御部１２は画像信号を受信している。例えば、本体部９０の電源スイッチが投入されている。この場合、リレー回路制御部２６は、リレー回路２４をオンする（ステップＳ８２）。これにより、第１電源部２０に交流電力ＡＣが供給される。第１電源部２０は、交流電力ＡＣを第１電力ＤＣ１（例えばＤＣ１２Ｖ）に変換する。第１電力ＤＣ１は表示部１０に供給される。さらに、第１電力ＤＣ１は第４電力（例えばＤＣ５Ｖ）に変換され選択部４２に供給される（ステップＳ８４）。
【００６６】
一方、ステップＳ８０において、ＯＦＦの場合、表示制御部１２は画像信号を受信していない。例えば、電子装置１０６が電源オフモードまたは待機モードとなっている。または、本体部９０がスリープモードとなっている。この場合、リレー回路制御部２６は、リレー回路２４をオフする（ステップＳ８６）。これにより、第１電源部２０に交流電力ＡＣが供給されない。よって、第１電力ＤＣ１は、表示部１０および選択部４２に供給されない（ステップＳ８８）。
【００６７】
なお、ステップＳ８４において、第４電力ＤＣ４が選択部４２に供給されない場合であっても、サーバ５０が第３電力ＤＣ３を選択部４２に供給可能な場合は、選択部４２に第３電力ＤＣ３が供給されてもよい。
【００６８】
実施例４によれば、図１４のように、第１電源部２０は、選択部４２に第４電力ＤＣ４に変換された第１電力ＤＣ１を供給し、第２電源部２２は、選択部４２に電力を供給しない。これにより、図１５のように、ＯＮ／ＯＦＦ信号がＯＦＦの場合、例えば、電子装置１０６が電源オフ、待機モードまたはスリープモードの場合、表示部１０とともに選択部４２にも電力が供給されない。この場合、電力供給は、第２電力ＤＣ２が遮断部２８および表示制御部１２に供給されているだけである。これにより、電子装置１０６が電源オフ、待機モードまたはスリープモード時の消費電力を抑制できる。
【００６９】
また、電力変換部（例えばＤＣ／ＤＣコンバータ６０）が第１電力ＤＣ１を、第４電圧の第４電力ＤＣ４に変換し、選択部４２に第４電力ＤＣ４を供給する。これにより、表示部１０の電圧が選択部４２の電圧と異なる場合（例えば、表示部１０の電源電圧が１２Ｖであり、選択部４２の電源電圧が５Ｖの場合）も、適切な電圧の電力を選択部４２に供給できる。なお、電力変換部は設けられず、第１電力ＤＣ１が直接選択部４２に供給されてもよい。
【００７０】
表示部１０は電源にノイズを発生させ易い。そこで、電力変換部は絶縁型ＤＣ−ＤＣコンバータとすることができる。これにより、表示部１０に起因したノイズが選択部４２に影響することを抑制できる。遮断部２８内のリレー回路制御部２６はフォトカップラ６２を介し第１電力ＤＣ１を監視することができる。これにより、表示部１０に起因したノイズが遮断部２８（特に、リレー回路制御部２６）に影響することを抑制できる。
【００７１】
実施例１によれば、スリープモード電力およびオフ／待機モード電力を低減することができる。一方、実施例３は、オンモード電力を低減することができる。これにより、例えば国際エネルギースター規格に準拠した電子装置を提供することができる。さらに、実施例４によれば、実施例２のようにＫＶＭスイッチを内蔵した電子装置のスリープモード電力およびオフ／待機モード電力を低減することができる。
【００７２】
図１６（ａ）から図１７（ｃ）は、実施例１から実施例４の外観の例を示す図であり、主に実施例１のドロア型電子装置１００の外観の例を示している。図１６（ａ）は、表示装置１１を閉じた状態の正面図、図１６（ｂ）は平面図である。図１７（ａ）は、表示装置１１を開いた状態の正面図、図１７（ｂ）は平面図、図１７（ｃ）は側面図である。
【００７３】
図１６（ａ）および図１６（ｂ）のように、電子装置１００のキーボード１６およびマウス１８は、筐体７０内に収められている。筐体７０の両側にはガイド部材７２が設けられている。ガイド部材７２の正面側には、取付部７１が設けられている。電子装置１００は、複数のサーバ５０等の情報処理装置を取り付け可能なラックに着脱自在に取付部７１により取り付けられる。筐体７０がラックに取り付けられた後、筐体７０はガイド部材７２により前後に移動可能に支持される。筐体７０の正面には取っ手７４が設けられている。取っ手７４を引くことにより、筐体７０をラックから手前に引き出すことができる。筐体７０の背面と、後部７７とは、パンタグラフ式の伸縮可能なリンク部材７５により連結されている。本体部９０、電源部９２およびＫＶＭスイッチ４０の少なくとも一部を後部７７内に配置することもできる。取っ手７３は、表示装置１１用の取っ手である。
【００７４】
図１７（ａ）から図１７（ｃ）のように、表示装置１１を回転させ開くためのガイド部材７６が設けられている。表示装置１１を開くことにより、正面から表示部１０を視認することができる。また、筐体７０内のキーボード１６およびマウス１８が使用可能となる。なお、例えば筐体７０がラックに取り付けられた状態では、筐体７０を引き出すことにより、表示装置１１を開くことができる。
【００７５】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００７６】
１０    表示部
１１    表示装置
１２    表示制御部
１４    ＫＭ制御部
１５    入力装置制御部
１７    入力装置
２０    第１電源部
２２    第２電源部
２４    リレー回路
２６    リレー回路制御部
２８    遮断部
４０    ＫＶＭスイッチ
４２    選択部
４４    スイッチ
４５    電源受信部
４９    制御部
５０    サーバ
６０    ＤＣ／ＤＣコンバータ
６２    フォトカップラ
９２    電源部
【図１】
2014225300.tif 000003
【図２】
2014225300.tif 000004
【図３】
2014225300.tif 000005
【図４】
2014225300.tif 000006
【図５】
2014225300.tif 000007
【図６】
2014225300.tif 000008
【図７】
2014225300.tif 000009
【図８】
2014225300.tif 000010
【図９】
2014225300.tif 000011
【図１０】
2014225300.tif 000012
【図１１】
2014225300.tif 000013
【図１２】
2014225300.tif 000014
【図１３】
2014225300.tif 000015
【図１４】
2014225300.tif 000016
【図１５】
2014225300.tif 000017
【図１６】
2014225300.tif 000018
【図１７】
2014225300.tif 000019